(57)【特許請求の範囲】
【請求項１】
電子受験票と認証結果伝達装置と認証結果集計装置とからなり、
前記電子受験票は、
受験番号を記憶する第１の記憶部と、
前記第１の記憶部の受験番号を前記認証結果伝達装置へ送信する第１の通信手段とを有し、
前記認証結果伝達装置は、
受験者の生体情報を検出するセンサと、
受験者の座席番号と受験番号と生体情報とを対に登録した第２の記憶部と、
電子受験票の接続を検出すると認証開始催促信号を出力するスイッチと、
前記第１の通信手段から前記第１の記憶部の受験番号を受信するとともに前記認証結果集計装置との間で通信を行う第２の通信手段と、
前記認証開始催促信号を入力すると、前記第２の通信手段から前記第１の記憶部の受験番号を入力して該受験番号と前記第２の記憶部の受験番号とを比較し、双方の受験番号が不一致の場合には、前記第２の通信手段に対し座席間違い信号を出力して該座席間違い信号と前記第２の記憶部の座席番号とを前記認証結果集計装置へ送信させる一方、双方の受験番号が一致した場合には、前記センサに対し前記認証開始催促信号を出力して前記受験者の生体情報を検出させ、検出された生体情報と前記第２の記憶部の生体情報との比較照合に基づき前記受験者の認証を行い、前記第２の通信手段に対しこの認証結果を出力して該認証結果と前記第２の記憶部の座席番号とを前記認証結果集計装置へ送信させる処理手段と、
前記電子受験票及び前記認証結果伝達装置の各部に電力を供給する電源とを有し、
前記認証結果集計装置は、
表示手段と、
前記第２の通信手段から座席間違い信号、認証結果及び座席番号を受信する第３の通信手段と、
前記第３の通信手段により受信された座席間違い信号または認証結果に応じて前記座席番号を前記表示手段に表示する制御手段と
を有することを特徴とする受験者確認装置。
【請求項２】
電子受験票と認証結果伝達装置と認証結果集計装置とからなる受験者確認装置における受験者の確認方法であって、
前記認証結果伝達装置の処理手段が、前記電子受験票の接続を検出した前記認証結果伝達装置のスイッチから出力される認証開始催促信号を入力すると、前記電子受験票から送信されるこの電子受験票の記憶部に登録された受験者の受験番号を受信してこの受験番号と前記認証結果伝達装置の記憶部に登録された受験番号とを比較し、双方の受験番号が不一致の場合は座席間違い信号を出力し、双方の受験番号が一致した場合は前記認証結果伝達装置のセンサに対し前記認証開始催促信号を出力して前記受験者の生体情報を検出させるとともに、検出された生体情報と前記認証結果伝達装置の記憶部に登録された生体情報とを比較照合して受験者の認証を行いその認証結果を出力するステップと、
前記処理手段が前記座席間違い信号を出力した場合に、前記認証結果伝達装置の通信手段が、この座席間違い信号と前記認証結果伝達装置の記憶部に登録された座席番号とを前記認証結果集計装置へ送信し、前記処理手段が前記認証結果を出力した場合に、前記通信手段が、この認証結果と前記認証結果伝達装置の記憶部に登録された座席番号とを前記認証結果集計装置へ送信するステップと、
前記認証結果集計装置の通信手段が、前記座席番号と、前記座席間違い信号または前記認証結果を受信すると、前記認証結果集計装置の制御手段が、前記座席番号と、前記座席間違い信号または前記認証結果を入力して、入力した座席間違い信号または認証結果に応じて前記座席番号を前記認証結果集計装置の表示手段に表示するステップと
を有することを特徴とする受験者確認方法。
【発明の詳細な説明】
【０００１】
【発明の属する技術分野】
本発明は、電子受験票及び受験者確認装置及び受験者確認方法に関する。
【０００２】
【従来の技術】
受験者は試験会場で試験を受ける場合、受験票を試験会場に持参する。持参した受験票には図１４に示すように、受験者の顔写真２０が添付されている。試験監督は、受験票１０３に添付された顔写真２０と受験者の顔とを比較照合して、受験者が受験を申し込んだ本人に相違ないことを確認する。
【０００３】
【発明が解決しようとする課題】
試験中の受験者は、机上の解答用紙に記述するために、顔を下に向けていることが多い。したがって、試験監督は、試験中に受験者本人を確認することが困難であるという問題がある。さらに、大勢の受験者が存在する試験会場などでは、試験開始前に試験監督が一人一人の受験者に対して、受験者本人であることを確認して回る時間が充分に取れないため、受験を申し込んだ本人と異なる受験者、即ち替え玉受験に対して十分な対策がとれないという問題もある。
【０００４】
したがって、本発明は、試験会場において受験者の的確な確認を可能にすることを目的とする。
【０００５】
【課題を解決するための手段】
このような課題を解決するために本発明は、電子受験票と認証結果伝達装置と認証結果集計装置とからなる受験者確認装置であって、電子受験票は、受験番号を記憶する第１の記憶部と、第１の記憶部の受験番号を認証結果伝達装置へ送信する第１の通信手段とを有し、認証結果伝達装置は、受験者の生体情報を検出するセンサと、受験者の座席番号と受験番号と生体情報とを対に登録した第２の記憶部と、電子受験票の接続を検出すると認証開始催促信号を出力するスイッチと、第１の通信手段から第１の記憶部の受験番号を受信するとともに認証結果集計装置との間で通信を行う第２の通信手段と、認証開始催促信号を入力すると、第２の通信手段から第１の記憶部の受験番号を入力して該受験番号と第２の記憶部の受験番号とを比較し、双方の受験番号が不一致の場合には、第２の通信手段に対し座席間違い信号を出力して該座席間違い信号と第２の記憶部の座席番号とを認証結果集計装置へ送信させる一方、双方の受験番号が一致した場合には、センサに対し認証開始催促信号を出力して受験者の生体情報を検出させ、検出された生体情報と第２の記憶部の生体情報との比較照合に基づき受験者の認証を行い、第２の通信手段に対しこの認証結果を出力して該認証結果と第２の記憶部の座席番号とを認証結果集計装置へ送信させる処理手段と、電子受験票及び認証結果伝達装置の各部に電力を供給する電源とを有し、認証結果集計装置は、表示手段と、第２の通信手段から座席間違い信号、認証結果及び座席番号を受信する第３の通信手段と、第３の通信手段により受信された座席間違い信号または認証結果に応じて座席番号を表示手段に表示する制御手段とを有するものである。
【０００８】
また、本発明は、認証結果伝達装置の処理手段が、電子受験票の接続を検出した認証結果伝達装置のスイッチから出力される認証開始催促信号を入力すると、電子受験票から送信されるこの電子受験票の記憶部に登録された受験者の受験番号を受信してこの受験番号と認証結果伝達装置の記憶部に登録された受験番号とを比較し、双方の受験番号が不一致の場合は座席間違い信号を出力し、双方の受験番号が一致した場合は認証結果伝達装置のセンサに対し認証開始催促信号を出力して受験者の生体情報を検出させるとともに、検出された生体情報と認証結果伝達装置の記憶部に登録された生体情報とを比較照合して受験者の認証を行いその認証結果を出力するステップと、処理手段が、座席間違い信号を出力した場合に、認証結果伝達装置の通信手段が、この座席間違い信号と認証結果伝達装置の記憶部に登録された座席番号とを認証結果集計装置へ送信し、処理手段が認証結果を出力した場合に、通信手段が、この認証結果と認証結果伝達装置の記憶部に登録された座席番号とを認証結果集計装置へ送信するステップと、認証結果集計装置の通信手段が、座席番号と、座席間違い信号または前記認証結果を受信すると、認証結果集計装置の制御手段が、座席番号と、座席間違い信号または認証結果を入力して、入力した座席間違い信号または認証結果に応じて座席番号を認証結果集計装置の表示手段に表示するステップとを有する受験者確認方法である。
【００１３】
【発明の実施の形態】
以下、本発明について図面を参照して説明する。本実施の形態では、指紋に基づき受験者を認証する場合について説明する。
（第１の実施の形態）
図１は、本発明の第１の実施の形態を示すブロック図であり、電子受験票の構成を示すものである。図１において、この受験票１００には受験者の顔写真２０が貼付されているとともに、受験者の指紋を認証するための指紋認証装置１０と、指紋認証装置１０の認証結果ｂに応じた表示を行う表示装置３０と、指紋認証装置１０及び表示装置３０に対して電力ｃを供給する電源４０と、指紋認証装置１０に対して認証開始を促す信号、即ち認証開始催促信号ａを出力するスイッチ５０とからなる。
【００１４】
以上のように構成された受験票１００は、受験者が試験会場に持参し、試験会場内の自席の机上に載置するものである。受験者は試験の開始に先立ち試験監督の要請に応じて自身の受験票１００のスイッチ５０を押下する。するとスイッチ５０から認証開始催促信号ａが指紋認証装置１０へ送出され、この場合、受験者が指紋認証装置１０内の後述する指紋センサ上に自身の指を置くと指紋認証装置１０による指紋認証が開始される。指紋認証装置１０は、後述する指紋センサにより受験者の指紋検出を開始するとともに、検出した受験者の指紋と記憶装置に予め登録した指紋データとを比較照合することにより受験者本人の認証を行い、認証結果ｂを表示装置３０に出力する。
【００１５】
表示装置３０は、受験者の押下指紋と登録指紋とが一致し指紋認証装置１０による認証結果ｂがＯＫの場合には青色表示を行うとともに、受験者の押下した指紋と登録指紋とが不一致となり指紋認証装置１０による認証結果ｂがＮＧの場合には赤色表示を行う。試験監督は、各受験者の座席を回りながら、表示装置３０が出力する色を確認する。そして、表示装置３０が赤色である受験者の席では、受験票１００の顔写真２０と受験者の顔が同一であるか否かを確認する。したがって、試験監督は指紋認証の結果がＯＫで表示装置３０が青色表示の受験者に対しては、受験者を確認する手間が省略できるため、受験者の確認時間を短縮できるとともに、指紋認証結果がＮＧである受験者に対しては、試験監督が、注意して受験票１００の顔写真２０で本人確認を行うことにより替え玉受験を防止できる。
【００１６】
図２は、前記受験票１００に用いられる指紋認証装置１０の構成を示すブロック図である。この指紋認証装置１０は図２に示すように、受験者の指紋を検出する指紋センサ２０２と、処理装置２０３と、予め指紋データが記憶された記憶装置２０４と、表示装置３０やスイッチ５０などの接続端子である端子２０５とが設けられている。そして、処理装置２０３は、指紋センサ２０２により検出された受験者の指紋と、予め記憶装置２０４に登録されている指紋とを比較照合してその受験者が本人であるか否かの認証を行い、認証結果ｂを表示装置３０へ出力する。
【００１７】
（第２の実施の形態）
図３は、本発明の第２の実施の形態を示すブロック図であり、受験者確認装置の構成を示すものである。
第２の実施の形態では、受験票１０１と認証結果表示装置５００とにより受験者確認装置を構成したものである。ここで、受験票１０１には、指紋認証装置１０と、通信装置６０とが設けられ、認証結果表示装置５００には、表示装置３１と、電源４１と、スイッチ５１と、通信装置６１とが設けられる。通信装置６０，６１は、受験票１０１と認証結果表示装置５００とが通信するために信号を変換して出力する。受験票１０１は、小型の指紋認証装置１０を実装したＩＣカードなどによって実現できる。認証結果表示装置５００は、ＩＣカード読取装置によって実現できる。
【００１８】
次に以上のように構成された受験者確認装置の動作を説明する。
まず、受験者は、試験会場に入り自席に着席すると、試験監督の要請に応じて、自身が所持した受験票１０１を自席に備えられている認証結果表示装置５００に接続する。すると、認証結果表示装置５００のスイッチ５１により、受験票１０１と認証結果表示装置５００とが接続したことが検出され、この場合スイッチ５１は、認証結果表示装置５００内の通信装置６１に対して、認証開始催促信号ａを出力する。この認証開始催促信号ａは、通信装置６１を介して受験票１０１の通信装置６０に送られ、さらに通信装置６０から指紋認証装置１０へ伝達される。
【００１９】
ここで、受験者が指紋認証装置１０の指紋センサ２０２上に指を置くと、前記認証開始催促信号ａが伝達されている指紋認証装置１０により指紋認証が開始される。この場合、指紋認証装置１０は、指紋センサ２０２に指紋検出を開始させるとともに、指紋センサ２０２により検出された受験者の指紋と、予め記憶装置２０４に登録した指紋とを比較照合して、認証結果ｂを通信装置６０へ送出する。この認証結果ｂは通信装置６０から、認証結果表示装置５００の通信装置６１を経由して表示装置３１に出力される。
【００２０】
認証結果表示装置５００の表示装置３１は、認証結果ｂがＯＫの場合には青色を出力する一方、認証結果ｂがＮＧの場合には赤色を出力する。試験監督は、各座席を回りながら、表示装置３１が出力する色を確認する。表示装置が赤色である受験者の席では、受験票１０１の顔写真２０と受験者の顔が同一であるか異なるかを判定する。本実施の形態では、第１の実施の形態と同様、受験者の確認時間を短縮でき、かつ替え玉受験を防止できるとともに、図１の受験票１００から、表示装置３０や電源４０を取り除くことによって、多くの受験者に配布する必要がある受験票の製作コストを削減することができる。
【００２１】
（第３の実施の形態）
図４は、本発明の第３の実施の形態を示すブロック図であり、受験者確認装置の構成を示すものである。
第３の実施の形態では、第２の実施の形態と同様、受験票１０１と認証結果表示装置５００とにより受験者確認装置を構成する。ここで、受験票１０１には、第２の実施の形態の指紋認証装置１０の代わりに指紋データを登録する記憶装置７１が設けられ、認証結果表示装置５００には、指紋センサ１１と、処理装置１２とが新たに設けられる。受験票１０１は、汎用のＩＣカードなどによって実現できる。認証結果表示装置５００は、ＩＣカード読取装置に、小型の指紋センサと認証処理を行う処理装置を搭載するか、或いは、汎用の電子計算機にＩＣカード読取装置と小型の指紋センサとを接続することにより実現できる。
【００２２】
次に以上のように構成された受験者確認装置の動作を説明する。
まず、受験者は、自身の受験票１０１と認証結果表示装置５００を接続する。すると、認証結果表示装置５００のスイッチ５１により、受験票１０１と認証結果表示装置５００とが接続したことが検出され、この場合スイッチ５１は、処理装置１２に対し認証開始催促信号ａを出力する。この認証開始催促信号ａは、処理装置１２から指紋センサ１１に伝達され指紋センサ１１による指紋検出が開始される。
【００２３】
処理装置１２は指紋センサ１１が検出した指紋ｅ’と、受験票１０１の記憶装置７１からの指紋データｅとを比較照合して、認証結果ｂを表示装置３１へ送出する。表示装置３１は、認証結果ｂがＯＫの場合には青色を出力する一方、認証結果ｂがＮＧの場合には赤色を出力する。試験監督は、各座席を回りながら、表示装置３１が出力する色を確認する。表示装置が赤色である受験者の席では、受験票１０１の顔写真２０と受験者の顔が同一であるか異なるかを判定する。
【００２４】
（第４の実施の形態）
図５は、本発明の第４の実施の形態を示すブロック図であり、受験者確認装置の構成を示すものである。
第４の実施の形態では、第２の実施の形態と同様、受験票１０１と認証結果表示装置５００とにより受験者確認装置を構成する。ここで、受験票１０１には、第２の実施の形態に加えて受験番号を登録する記憶装置７２が設けられ、認証結果表示装置５００には、処理装置１２と受験番号を登録する記憶装置７３が新たに設けられる。
【００２５】
次に以上のように構成された受験者確認装置の動作を説明する。
まず、受験者は、自身の受験票１０１と認証結果表示装置５００を接続する。すると、認証結果表示装置５００のスイッチ５１により、受験票１０１と認証結果表示装置５００とが接続したことが検出され、この場合スイッチ５１は、処理装置１２に対し認証開始催促信号ａを出力する。この認証開始催促信号ａにより、処理装置１２は、受験票１０１の記憶装置７２からの受験番号ｆと記憶装置７３の受験番号ｆ’とを比較照合し両者が不一致の場合は表示装置３１へ座席間違い信号ｇを出力する。また、双方の受験番号が一致すると、認証開始催促信号ａを通信装置６１を介して受験票１０１の指紋認証装置１０へ出力する。
【００２６】
指紋認証装置１０は予め登録した指紋と受験者の指紋とを比較照合して、認証結果ｂを認証結果表示装置５００側へ返送する。処理装置１２はこの認証結果ｂを受信すると表示装置３１へ送出する。表示装置３１は、認証結果ｂがＯＫの場合には青色を出力する一方、認証結果ｂがＮＧの場合には赤色を出力する。また、前述の座席場違い信号ｇの場合は黄色を出力する。試験監督は、各座席を回りながら、表示装置３１が出力する色を確認する。表示装置が赤色である受験者の席では、受験票１０１の顔写真２０と受験者の顔が同一であるか異なるかを判定する。また、表示装置３１の表示が黄色の座席では座席番号と受験番号との対応を確認する。本実施の形態では、前記の各実施の形態と同様、受験者の確認時間を短縮できとともに、受験者が座席番号を間違えている場合の確認も行うことができる。
【００２７】
（第５の実施の形態）
図６は、本発明の第５の実施の形態を示すブロック図であり、図３の受験者確認装置に加えて、各座席の認証結果伝達装置５０１，５０２，５０３，・・・，５０ｎ（５００＋ｎ（ｎは自然数））の出力を集計するための認証結果集計装置６００を設けるようにしたものである。認証結果集計装置６００は、既存の電子計算機を用いて実現できる。
【００２８】
図７は、図６に示す装置の詳細な構成を示すブロック図である。認証結果集計装置６００は、表示装置３２，通信装置６２及び制御装置８０を有し、認証結果伝達装置５０１は、図３の認証結果表示装置５００に記憶装置７４を付加し、さらに表示装置を削除するように構成したものである。
ここで、認証結果伝達装置５０１の記憶装置７４は、予め登録した座席番号ｄを記憶する。認証結果集計装置６００の制御装置８０は、認証結果ｂと座席番号ｄを対応させて、表示装置３２に認証結果がＮＧである座席番号ｄを出力する。
【００２９】
次に図７を用いて第５の実施の形態の装置の動作を説明する。
受験者は、試験会場に入り自席に着席すると、試験監督の要請に応じて、自身が所持した受験票１０２を自席に備えられている認証結果伝達装置５０１に同様に接続する。すると、認証結果伝達装置５０１のスイッチ５１により、受験票１０２と認証結果伝達装置５０１とが接続したことが検出され、この場合スイッチ５１は、認証結果伝達装置５０１内の通信装置６１に対して、認証開始催促信号ａを出力する。この認証開始催促信号ａは、通信装置６１を介して受験票１０２の通信装置６０に送られ、さらに通信装置６０から指紋認証装置１０へ伝達される。
【００３０】
受験者が指紋認証装置１０の指紋センサ２０２上に指を置くと、前記認証開始催促信号ａが伝達されている指紋認証装置１０により指紋認証が開始される。この場合、指紋認証装置１０は、既に図２で説明したように、指紋センサ２０２に指紋検出を開始させるとともに、指紋センサ２０２により検出された受験者の指紋と、予め記憶装置２０４に登録した指紋とを比較照合して、認証結果ｂを通信装置６０へ送出する。この認証結果ｂは通信装置６０から、認証結果伝達装置５０１の通信装置６１へ送られる。
【００３１】
認証結果伝達装置５０１の通信装置６１は、受験票１０２から受信した認証結果ｂと、記憶装置７４に記憶されている座席番号ｄを入力すると、入力した受験票１０２の認証結果ｂと座席番号ｄとを認証結果集計装置６００へ出力する。
【００３２】
認証結果集計装置６００は、各座席の認証結果伝達装置５０１〜５０ｎ（５００＋ｎ（ｎは自然数））から入力した認証結果がＮＧである場合について、座席番号ｄを表示装置３２に出力し表示させる。試験監督は、認証結果集計装置６００の表示装置３２に表示された座席番号の受験者のところへ行き、受験票１０２の顔写真２０と受験者の顔が同一であるか異なるかを判定する。これにより、試験監督は、全座席の指紋認証結果を確認して回る必要がないため、受験者を確認する時間を短縮することができる。
【００３３】
図８は、認証結果集計装置６００の表示装置３２の表示状況を示す図である。表示装置３２は、認証結果がＮＧの場合についてその座席番号を表示することを前述したが、認証結果がＯＫの場合についてもその座席番号を表示することができる。即ち、表示装置３２は認証結果がＮＧの場合は図８に示すように、その座席番号を赤色表示する一方、認証結果がＯＫの場合についてはその座席番号を青色または黒色表示する。この場合、試験監督は、表示装置３２上で赤色表示された座席番号の受験者のところへ行き、受験票１０２の顔写真２０と受験者の顔が同一であるか異なるかを確認する。
【００３４】
（第６の実施の形態）
図９は、本発明の第６の実施の形態を示すブロック図である。第６の実施の形態では、受験票１０２には、第５の実施の形態の図７に示す指紋認証装置１０の代わりに受験番号を登録した記憶装置７２を設けるとともに、認証結果伝達装置５０１には、第５の実施の形態の図７の構成に加えて、指紋センサ１１と、処理装置１２とを新たに設け、さらに認証結果集計装置６００には第５の実施の形態の図７の構成に加えて、受験番号と指紋データを登録した記憶装置７５を設けたものである。
【００３５】
次に以上のように構成された受験者確認装置の動作を説明する。
まず、受験者は、自身の受験票１０２と認証結果伝達装置５０１を接続する。すると、認証結果伝達装置５０１のスイッチ５１により、受験票１０２と認証結果伝達装置５０１とが接続したことが検出され、この場合スイッチ５１は、処理装置１２に対し認証開始催促信号ａを出力する。この認証開始催促信号ａは、処理装置１２から指紋センサ１１に伝達され指紋センサ１１による指紋検出が開始される。
【００３６】
また、スイッチ５１からの認証開始催促信号ａを受信した認証結果伝達装置５０１の処理装置１２は通信装置６１を制御することにより、受験票１０２の記憶装置７２からの受験番号ｆを認証結果集計装置６００の制御装置８０へ送信させ、その送信に対し認識結果集計装置６００の制御装置８０から返送される記憶装置７５内の該当受験番号に応じた指紋データｅを受信すると、この受信指紋データｅと指紋センサ１１が検出した指紋ｅ’と比較照合する。そして、認証結果ｂと記憶装置７４の座席番号ｄとを認証結果集計装置６００へ送信する。
【００３７】
認証結果集計装置６００の制御装置８０は、各座席の認証結果伝達装置５０１〜５０ｎ（５００＋ｎ（ｎは自然数））から入力した認証結果がＮＧの場合は該当の座席番号を表示装置３２に赤色表示し、認証結果がＯＫの場合はその座席番号を青色または黒色表示する。
試験監督は、座席番号が赤色表示された受験者の席に行き、受験票１０２の顔写真２０と受験者の顔が同一であるか異なるかを判定する。本実施の形態では、受験票１０２の記憶装置７２に受験番号のみを登録するだけでよいため、記憶装置７２の容量を少なくでき受験票１０２の製造コストを低減できる。
【００３８】
（第７の実施の形態）
図１０は、本発明の第７の実施の形態を示すブロック図である。第７の実施の形態では、受験票１０２には、第５の実施の形態の図７に示す指紋認証装置１０の代わりに受験番号を登録した記憶装置７２を設けるとともに、認証結果伝達装置５０１には、第５の実施の形態の図７の構成に加えて、指紋センサ１１と、処理装置１２とを新たに設け、さらに認証結果伝達装置５０１内の記憶装置として、座席番号の他に受験番号と指紋データを新たに登録した記憶装置７６を設けるようにしたものである。
【００３９】
次に以上のように構成された受験者確認装置の動作を説明する。
まず、受験者は、自身の受験票１０２と認証結果伝達装置５０１を接続する。すると、認証結果伝達装置５０１のスイッチ５１により、受験票１０２と認証結果伝達装置５０１とが接続したことが検出され、この場合スイッチ５１は、処理装置１２に対し認証開始催促信号ａを出力する。
【００４０】
この認証開始催促信号ａにより、認証結果伝達装置５０１の処理装置１２は、受験票１０２の記憶装置７２からの受験番号ｆと記憶装置７６の受験番号ｆ’とを入力して比較照合する。そして、双方の受験番号が不一致の場合は記憶装置７６の座席番号ｄと座席間違い信号ｇを、記憶装置７２からの受験番号ｆとともに通信装置６１を介して認証結果集計装置６００の制御装置８０へ送信する。また、双方の受験番号が一致すると、処理装置１２は、認証開始催促信号ａを指紋センサ１１へ出力して指紋検出を開始させる。
【００４１】
この場合、処理装置１２は指紋センサ１１により検出された指紋ｅ’と、記憶装置７６の指紋データｅとを比較照合し、その認証結果ｂと記憶装置７６の座席番号ｄを通信装置６１を介して認証結果集計装置６００の制御装置８０へ送信する。
【００４２】
認証結果集計装置６００の制御装置８０は、各座席の認証結果伝達装置５０１〜５０ｎ（５００＋ｎ（ｎは自然数））から入力した認証結果がＮＧの場合は該当の座席番号を表示装置３２に赤色表示し、認証結果がＯＫの場合はその座席番号を青色または黒色表示する。また、受験票１０２の受験番号ｆと認識結果伝達装置５０１の記憶装置７６内の受験番号ｆ’との不一致に基づく座席間違い信号ｇを入力すると該当の座席番号を黄色表示する。
試験監督は、座席番号が赤色表示された受験者の席に行き、受験票１０２の顔写真２０と受験者の顔が同一であるか異なるかを判定する。また、試験監督は、座席番号が黄色表示された受験者の席に行き、座席間違いを指摘する。本実施の形態では、指紋データを各座席の認証結果伝達装置に登録することにより、第６の実施の形態に比べ、登録指紋データの検索時間と指紋データの通信時間とを短縮できることから、受験者確認に要する処理時間をさらに短縮できる。
【００４３】
（第８の実施の形態）
図１１は、本発明の第８の実施の形態を示すブロック図である。第８の実施の形態に示す受験者確認装置は、受験票１０２と認証結果集計装置６００とにより構成したものである。ここで、受験票１０２には、受験者の顔写真２０が貼付されている他に、指紋認証装置１０と、電源４０と、通信装置６０と、受験番号が登録される記憶装置７２が設けられている。一方、認証結果集計装置６００には、前述の表示装置３２，通信装置６２及び制御装置８０の他に受験番号と座席番号とを対に記憶した記憶装置７７が設けられる。本実施の形態では、受験票１０２の通信装置６０と認証結果集計装置６００とを有線または無線により直接接続する。有線で直接接続する場合はＬＡＮなどの技術を用いて実現できる。また、無線で直接接続する場合はＰＨＳや無線ＬＡＮなどの技術を用いて実現できる。
【００４４】
次に以上のように構成された受験者確認装置の動作を説明する。
第８の実施の形態では、認証結果集計装置６００の制御装置８０が認証開始催促信号ａを通信装置６２を介し受験票１０２へ送信する。これにより、受験票１０２の指紋認証装置１０が受験者の指紋を検出するとともに、検出した指紋と予め登録した指紋とを比較照合する。受験票１０２の通信装置６０は、指紋認証装置１０の認証結果ｂと、記憶装置７２の受験番号ｆを認証結果集計装置６００へ返送する。
【００４５】
認証結果集計装置６００の制御装置８０は、受験票１０２から受信した認証結果がＮＧの場合は、その受験番号ｆに対応する座席番号ｄを記憶装置７７から読み出し、その座席番号を表示装置３２に赤色表示する。なお、受験票１０２からの認証結果がＯＫの場合はその受験番号に対応する座席番号を青色または黒色表示するようにしても良い。試験監督は、座席番号が赤色表示された受験者の席に行き、受験票１０２の顔写真２０と受験者の顔が同一であるか異なるかを判定する。本実施の形態では、各座席の認証結果伝達装置が不要になるため、各認証結果伝達装置を各座席に設置する時間を削減できるとともに、受験者確認装置を低コストで実現できる。
【００４６】
図１２は前記指紋認証装置１０を構成する指紋センサ２０２（図４等の指紋センサ１１も含む）の概略的な断面を示す図である。本指紋センサ２０２は、例えばシリコンからなる半導体基板２１１上の下層絶縁膜２１２上に形成された層間絶縁膜２１４上に、たとえば８０μｍ角の複数のセンサ電極２１５と、格子状のアース電極２１６とを備え、複数のセンサ電極２１５とアース電極２１６とを、層間絶縁膜２１４表面で規定される同一平面上に配置している。
【００４７】
センサ電極２１５は、層間絶縁膜２１４上に形成されたパシベーション膜２１７で覆い、１５０μｍ間隔に複数個を備えるようにするとともに、Ａｕから構成し、膜厚１μｍ程度に形成している。パシベーション膜２１７の膜厚は３μｍ程度としたので、センサ電極２１５上には、パシベーション膜２１７が約２（＝３−１）μｍ存在している。このパシベーション膜２１７は、例えばポリイミドなどの比誘電率が４．０程度の絶縁物から構成される。
【００４８】
上記下層絶縁膜２１２上には、センサ電極２１５にスルーホールを介して接続する配線２１３を形成する一方、半導体基板２１１上には、センサ電極２１５に形成される容量を検出する容量検出回路２１８を形成している。この容量検出回路２１８は、前述した配線２１３によってセンサ電極２１５に接続される。容量検出回路２１８は、センサ電極２１５毎に用意され、センサ電極２１５と認識対象（指）の一部との間に形成される容量を検出する。
【００４９】
各容量検出回路２１８の出力は、処理装置２０３に接続され、この処理装置２０３により、各センサ電極２１５に形成された容量を濃淡に変換した指紋画像データが生成される。
各容量検出回路２１８、処理装置２０３及び記憶装置２０４は、たとえばセンサ電極２１５下の半導体基板２１１上に形成する。これにより指紋センサ２０２，処理装置２０３及び記憶装置２０４をワンチップ化でき、したがって指紋認証トークン２００のワンチップ化が可能になる。なお、こうしたワンチップ化の他の例として、例えば特開２０００−２４２７７１に開示されたものがある。
【００５０】
図１３（ａ）は、容量検出回路２１８の回路図である。図１３（ａ）において、Ｃｆは図１２におけるセンサ電極２１５と指１０００の皮膚との間に形成される静電容量である。容量Ｃｆを形成するセンサ電極２１５はＮchＭＯＳトランジスタＱ３ａのドレイン端子に接続されており、このトランジスタＱ３ａのソース端子は電流Ｉの電流源１０２１ａの入力側に接続されている。また、センサ電極２１５とトランジスタＱ３ａとの節点Ｎ１ａには、ＮchＭＯＳトランジスタＱ２ａのソース端子が接続されている。このトランジスタＱ２ａのドレイン端子とＰchＭＯＳトランジスタＱ１ａのドレイン端子との節点Ｎ２ａには、ドレイン端子に電源電圧ＶDDが印加されソース端子が抵抗Ｒａを介して接地に接続されたＮchＭＯＳトランジスタＱ４ａのゲート端子が接続されている。このトランジスタＱ４ａのソース端子にインバータゲート１０４１が接続されている。
【００５１】
各トランジスタＱ１ａ，Ｑ３ａのゲート端子にはそれぞれ信号ＰＲＥ（バー），ＲＥが印加される。また、トランジスタＱ２ａのゲート端子には定電圧源からバイアス電圧ＶＧが印加される。ここで、トランジスタＱ２ａが非導通状態になるゲート−ソース間のしきい値電圧をＶthとすると、ＶDD＞ＶＧ−Ｖthとなるように電圧ＶDD，ＶＧが設定される。
また、節点Ｎ１ａ，Ｎ２ａはそれぞれ寄生容量Ｃｐ１ａ，Ｃｐ２ａを有している。
電流源１０２１ａとトランジスタＱ３ａとにより信号発生回路１０２０が構成され、トランジスタＱ４ａと抵抗Ｒａとインバータゲート１０４０とにより出力回路１０４０が構成される。
【００５２】
図１３（ｂ）〜図１３（ｄ）は、図１３（ａ）に示した容量検出回路２１８の動作を説明するためのタイミングチャートであり、図１３（ｂ）はトランジスタＱ１ａを制御する信号ＰＲＥ（バー）の電位変化を示し、図１３（ｃ）はトランジスタＱ３ａを制御する信号ＲＥの電位変化を示し、図１３（ｄ）は節点Ｎ１ａ，Ｎ２ａそれぞれの電位変化を示している。
最初、トランジスタＱ１ａのゲート端子にはＨｉｇｈレベル（ＶDD）の信号ＰＲＥ（バー）が与えられ、トランジスタＱ３ａのゲート端子にはＬｏｗレベル（ＧＮＤ）の信号ＲＥが与えられている。したがって、このときトランジスタＱ１ａ，Ｑ３ａはともに導通していない。
【００５３】
この状態で信号ＰＲＥ（バー）がＨｉｇｈレベルからＬｏｗレベルに変化すると、トランジスタＱ１ａが導通状態になる。このときトランジスタＱ３ａは非導通状態のままであり、信号発生回路２０は停止状態にあるから、節点Ｎ２ａの電位がＶDDにプリチャージされる。
また、トランジスタＱ２ａのゲート−ソース間電圧がしきい値電圧Ｖthに達してトランジスタＱ２ａが非導通状態になるまで、節点Ｎ１ａが充電される。これにより、節点Ｎ１ａの電位がＶＧ−Ｖthにプリチャージされる。
【００５４】
プリチャージが終了した後、信号ＰＲＥ（バー）がＨｉｇｈレベルに変化すると、トランジスタＱ１ａが非導通状態になる。これと同時に信号ＲＥがＨｉｇｈレベルに変化すると、トランジスタＱ３ａが導通状態になり、信号発生回路１０２０が動作状態に変化する。そして、電流源１０２１ａにより節点Ｎ１ａに充電された電荷が引き抜かれ、節点Ｎ１ａの電位がわずかに低下すると、トランジスタＱ２ａのゲート−ソース間電圧がしきい値電圧Ｖthより大きくなり、トランジスタＱ２ａが導通状態に変化する。これにより節点Ｎ２ａの電荷も引き抜かれ、節点Ｎ２ａの電位低下が開始する。
信号ＲＥをＨｉｇｈレベルにする期間をΔｔとするとΔｔ経過後の節点Ｎ１ａの電位低下ΔＶはＶDD−（ＶＧ−Ｖth）＋ＩΔｔ／（Ｃｆ＋Ｃｐ１ａ）になる。ここで、寄生容量Ｃｐ２ａは寄生容量Ｃｐ１ａに対して十分小さいとしている。
【００５５】
電流源１０２１ａの電流Ｉと期間Δｔと寄生容量Ｃｐ１ａ，Ｃｐ２ａは、各々一定であるから、電位低下ΔＶは、センサ電極２１５と検出対象である指の表面１０００との間に発生する容量の値Ｃｆによって決定される。この容量値Ｃｆはセンサ電極２１５と指の表面１０００との距離によって決まるので、指紋の凹凸によって異なる。このことから、低下電位ΔＶの大きさが、指紋の凹凸を反映して変化する。この電位低下ΔＶが、入力信号として出力回路１０４０に供給されるので、出力回路１０４０でΔＶが入力され、指紋の凹凸を反映した信号が出力回路１０４０から出力される。
【００５６】
こうした各容量検出回路２１８の出力信号が処理装置２０３により処理され、前述の指紋画像データとして生成される。そして、処理装置２０３は生成した指紋画像データと、記憶装置２０４に登録された指紋画像データとを比較照合することにより受験者の認証を行い、認証結果ｂ（即ち、ＯＫまたはＮＧ）を表示装置に出力する。
【００５７】
なお、本実施の形態では、受験票の指紋認証装置１０内の指紋センサ２０２，処理装置２０３，記憶装置２０４をワンチップで構成した第１の構成例について説明したが、上記第１の構成例の他に、指紋センサ２０２をワンチップ化し、このワンチップ指紋センサ２０２に、バスを介して処理装置２０３を接続し、さらに処理装置２０３にバスを介して記憶装置２０４を接続する第２の構成例がある。さらに、指紋センサ２０２と処理装置２０３をワンチップ化し、このワンチップ化された処理装置２０３にバスを介して記憶装置２０４を接続する第３の構成例がある。
【００５８】
また、本実施の形態では、指紋の認証に基づいて受験者本人の認証を行うようにしたが、指の大きさ、手形、静脈パターン、人相、虹彩及び声紋などの受験者固有の生体情報や、受験者のサイン（筆跡）等により受験者本人であることを認証するようにしても良い。
また、受験票と認証結果伝達装置間、及び認証結果伝達装置と認証結果集計装置間で送受される信号を送信側で暗号化し、受信側でその暗号化データを復号化することにより、受験者確認装置のセキュリティを向上させることができる。
【００５９】
【発明の効果】
以上説明したように本発明によれば、受験者の受験票を、受験者の認証を行って認証結果を表示する電子受験票により構成し、スイッチ，認証装置及び表示装置を有する電子受験票は、受験者によりスイッチが押下されると、スイッチからの認証開始催促信号に基づき認証装置はセンサにより受験者の生体情報を検出するとともに、検出した生体情報とメモリに予め登録された生体情報とを比較照合することにより受験者の認証を行い認証結果を表示装置へ出力し表示させるようにしたので、表示装置では認証結果がＯＫの場合は例えば青色表示が行われ、認証結果がＮＧであれば赤色表示が行われることから、試験会場において試験監督は受験者本人であるか否かを的確に確認できる。
ここで、認証装置を、センサにより検出された受験者の指紋とメモリに予め登録された指紋とを比較照合する指紋認証装置により構成したので、簡単な構成により受験者本人を確認できる。
【００６０】
また、受験者を確認する装置を、受験者の認証を行って認証結果を出力する電子受験票と、電子受験票の認証結果を表示する認証結果表示装置とから構成し、受験者が自身の携帯する電子受験票と自席の認証結果表示装置とを接続すると、認証結果表示装置内のスイッチから電子受験票へ認証開始催促信号が送出され、この認証開始催促信号に基づき電子受験票はセンサにより受験者の生体情報を検出するとともに、検出した生体情報とメモリに予め登録された生体情報とを比較照合することにより受験者の認証を行い認証結果を認証結果表示装置へ出力し表示させるようにしたので、同様に試験会場において試験監督は受験者本人であるか否かを的確に確認できるとともに、受験者が携帯する電子受験票には電源及びスイッチが不要になることから電子受験票の低コスト化が可能になる。
【００６１】
また、認証結果表示装置が電子受験票の接続検出に基づく認証開始催促信号を入力すると、センサにより受験者の生体情報の検出を行うとともに、検出した生体情報と電子受験票のメモリに予め登録した生体情報との比較照合に基づき受験者の認証を行い認証結果を表示装置に表示するようにしたので、同様に試験会場において試験監督は受験者本人であるか否かを的確に確認できるとともに、受験者が携帯する電子受験票には電源、スイッチ及び認証装置が不要になることから電子受験票をさらに低コストかつ小型に構成できる。
【００６２】
また、認証結果表示装置は、電子受験票の接続検出に基づく認証開始催促信号を入力すると、この電子受験票に登録された受験番号と自身に登録された受験番号を比較し、双方の受験番号が不一致の場合は表示装置に座席間違い表示を行う一方、双方の受験番号が一致した場合は電子受験票の認証装置に認証開始催促信号を送信して、この認証装置による受験者の生体情報の検出と、検出した生体情報とメモリに登録された生体情報との比較照合に基づく受験者の認証処理を行わせこの認証結果を入力して表示装置に表示するようにしたので、同様に試験会場において試験監督は受験者本人であるか否かを的確に確認できるとともに、受験者が携帯する電子受験票には電源及びスイッチが不要になることから電子受験票の低コスト化が可能になる。また、試験監督は受験者が座席番号を間違えている場合の確認も行うことができる。
【００６３】
また、受験者を確認する装置を、受験者の認証を行って認証結果を出力する電子受験票と、電子受験票の認証結果を受験者の座席番号とともに伝達する認証結果伝達装置と、認証結果伝達装置により伝達された認証結果を集計して表示する認証結果集計装置とから構成し、認証結果集計装置は、認証結果伝達装置から伝達された認証結果に応じて対応の座席番号を表示するようにしたので、同様に試験会場において試験監督は受験者本人であるか否かを的確に確認できるとともに、受験者が携帯する電子受験票には電源及びスイッチが不要になることから電子受験票の低コスト化が可能になる。また、認証結果集計装置に表示装置を設けたため、試験監督は全座席の生体情報認証結果を確認して回る必要がなく、したがって試験監督の受験者確認時間をさらに短縮できる。
【００６４】
また、認証結果伝達装置は、電子受験票の接続検出に基づく認証開始催促信号を入力すると、電子受験票に登録された受験番号とを認証結果集計装置へ送信して認証結果集計装置からこの受験番号に応じた登録生体情報を取得し、かつセンサにより受験者の生体情報を検出して、検出した生体情報と認証結果集計装置からの生体情報との比較照合に基づき受験者の認証を行い、この認証結果と自身に登録された座席番号とを認証結果集計装置へ送信し、認証結果集計装置は、認証結果伝達装置から送信された認証結果及び座席番号を受信すると、受信した認証結果に応じて座席番号を表示装置に表示するようにしたので、同様に試験会場において試験監督は受験者本人であるか否かを的確に確認できるとともに、受験者が携帯する電子受験票には電源、スイッチ及び認証装置が不要になることから電子受験票をさらに低コスト及び小型に構成できる。また、試験監督は全座席の生体情報認証結果を確認して回る必要がないため、試験監督の受験者確認時間をさらに短縮できる。
【００６５】
また、認証結果伝達装置は、電子受験票の接続検出に基づく認証開始催促信号を入力すると、この電子受験票に登録された受験番号と自身に登録された受験番号を比較し、双方の受験番号が不一致の場合は座席間違い信号と、自身に登録された座席番号とを認証結果集計装置へ送信する一方、双方の受験番号が一致した場合はセンサにより検出された生体情報と自身に登録された生体情報との比較照合に基づき受験者の認証を行い、この認証結果と、自身に登録された座席番号ととを認証結果集計装置へ送信し、認証結果集計装置は、前記座席間違い信号または認証結果を受信すると、受信した座席間違い信号または認証結果に応じて座席番号を表示装置に表示するようにしたので、同様に試験会場において試験監督は受験者本人であるか否かを的確に確認できるとともに、受験者が携帯する電子受験票には電源、スイッチ及び認証装置が不要になることから電子受験票をさらに低コスト及び小型に構成できる。また、試験監督は全座席の生体情報認証結果を確認して回る必要がないため、試験監督の受験者確認時間をさらに短縮できるとともに、認証結果伝達装置は受験者の認証を行う場合に自身に登録された生体情報に基づき認証できることから登録生体情報の検索時間とその通信時間を短縮できる。さらに、試験監督は受験者が座席番号を間違えている場合の確認も行うことができる。
【００６６】
また、受験者を確認する装置を、電子受験票及び認証結果集計装置から構成し、認証結果集計装置は、電子受験票の認証装置に認証開始催促信号を送出して、認証装置により受験者の生体情報を検出させるとともに、検出した生体情報とメモリに予め登録された生体情報とを比較照合させて受験者の認証を行わせ、この認証後に電子受験票から送信される受験者認証結果と受験番号を受信すると、受信した認証結果に基づきこの受信受験番号に対応する座席番号を表示装置に表示するようにしたので、同様に試験会場において試験監督は受験者本人であるか否かを的確に確認できるとともに、試験監督は全座席の生体情報認証結果を確認して回る必要がないため、受験者の確認時間をさらに短縮できる。また、認証結果伝達装置が不要となるため、受験者確認装置を簡単かつ経済的に構成できる。
また、センサを受験者の指紋を検出する指紋センサとし、メモリまたは記憶部に登録された生体情報を受験者の指紋情報としたので、簡単な構成により受験者本人を確認できる。
【図面の簡単な説明】
【図１】  本発明に係る電子受験票の構成（第１の実施の形態）を示すブロック図である。
【図２】  前記電子受験票を構成する指紋認証装置のブロック図である。
【図３】  本発明に係る受験者確認装置の第１の構成（第２の実施の形態）を示すブロック図である。
【図４】  本受験者確認装置の第２の構成（第３の実施の形態）を示すブロック図である。
【図５】  本受験者確認装置の第３の構成（第４の実施の形態）を示すブロック図である。
【図６】  本受験者確認装置の第４の構成（第５の実施の形態）を示すブロック図である。
【図７】  図６の受験者確認装置の詳細構成を示すブロック図である。
【図８】  図７の受験者確認装置内の表示装置の座席番号表示状況を示す図である。
【図９】  本受験者確認装置の第５の構成（第６の実施の形態）を示すブロック図である。
【図１０】  本受験者確認装置の第６の構成（第７の実施の形態）を示すブロック図である。
【図１１】  本受験者確認装置の第７の構成（第８の実施の形態）を示すブロック図である。
【図１２】  前記指紋認証装置内の指紋センサの構成を示す図である。
【図１３】  前記指紋センサ内の容量検出回路の回路図及び容量検出回路の各部の動作タイミングを示すタイムチャートである。
【図１４】  従来の受験票を示す図である。
【符号の説明】
１０…指紋認証装置、１１，２０２…指紋センサ、１２，２０３…処理装置、２０…顔写真、３０〜３２…表示装置、４０，４１…電源、５０，５１…スイッチ、６０〜６２…通信装置、７１〜７７，２０４…記憶装置、８０…制御装置、１００〜１０２…受験票、２１１…半導体基板、２１２…下層絶縁膜、２１３…配線、２１４…層間絶縁膜、２１５…センサ電極、２１７…パシベーション膜、２１８…容量検出回路、５００…認証結果表示装置、５０１〜５０３…認証結果伝達装置、６００…認証結果集計装置、ａ…認証開始催促信号、ｂ…認証結果、ｃ…電力、ｄ…座席番号、ｅ，ｅ’…指紋データ、ｆ，ｆ’…受験番号、ｇ…座席間違い信号。
【図１】
0003846693.tif 000002
【図２】
0003846693.tif 000003
【図３】
0003846693.tif 000004
【図４】
0003846693.tif 000005
【図５】
0003846693.tif 000006
【図６】
0003846693.tif 000007
【図７】
0003846693.tif 000008
【図８】
0003846693.tif 000009
【図９】
0003846693.tif 000010
【図１０】
0003846693.tif 000011
【図１１】
0003846693.tif 000012
【図１２】
0003846693.tif 000013
【図１３】
0003846693.tif 000014
【図１４】
0003846693.tif 000015